(57)【要約】【課題】複数のオ−ディオ信号を複数のプラグを使用してオ−ディオ信号処理回路に入力させる時に、インピ−ダンス整合を取るのが面倒であった。【解決手段】第１のオ−ディオ信号を入力させるための第１のジャック４の他に第２のオ−ディオ信号を入力させるための第２のジャック５を設ける。第１のプラグ８に接続された第１の信号源１０に適合するインピ−ダンスを有する増幅回路６を設ける。第２のプラグ９に接続された第２の信号源１１に適合するインピ−ダンスを得るためにバッファ増幅回路７を設ける。第２のジャック５に補助スイッチ２４を設ける。補助スイッチ２４は第２のプラグ９の挿入に応動させてバッファ増幅回路７を接続し、インピ−ダンスを調整する。【選択図】    図１
2004282513.tif 000002
【特許請求の範囲】
【請求項１】
第１のオーディオ信号を入力させるための第１のプラグが挿入される第１のジャックと、
第２のオーディオ信号を入力させるための第２のプラグが挿入される第２のジャックと、
前記第１のジャックに接続され且つ前記第１のオーディオ信号に対して適合するようにインピーダンスとゲインとのいずれか一方又は両方が設定されている増幅回路と、
前記第２のジャックに対する前記第２のプラグの挿入に応答して前記第２のオーディオ信号に対してインピーダンスとゲインとのいずれか一方又は両方を適合化させる適合化手段と、
を有していることを特徴とするオーディオ信号処理回路。
【請求項２】
第１のオーディオ信号を入力させるための第１のプラグが挿入される第１のジャックと、
第２のオーディオ信号を入力させるための第２のプラグが挿入される第２のジャックと、
前記第１のジャックに接続され且つ前記第１のオーディオ信号に対して適合するようにインピーダンスが設定されている増幅回路と、
前記第２のオーディオ信号に対するインピーダンスを調整するように設定されたインピーダンス調整回路と、
前記第２のジャックと前記増幅回路の入力端子との間において前記インピ−ダンス調整回路に直列に接続され且つ前記第２のジャックに対する前記第２のプラグの挿入に応答してオン状態になる信号選択伝送スイッチ手段と
を有していることを特徴とするオーディオ信号処理回路。
【請求項３】
前記第１のジャックは前記第１のオーディオ信号を入力させるための第１及び第２の接触導体を有し、
前記増幅回路は前記第１のジャックの前記第１の接触導体に接続された第１の入力端子と前記第２の接触導体に接続された第２の入力端子とを有する平衡型増幅回路であり、
前記信号選択伝送スイッチ手段は前記インピーダンス調整回路と前記平衡型増幅回路の前記第１の入力端子との間に接続されており、
前記第２のジャックは非平衡型の第２のオーディオ信号を入力させるものであり、
更に、前記第２のジャックに対する前記第２のプラグの挿入に応答して前記平衡型増幅回路の前記第２の入力端子をグランドに接続するグランド用スイッチ手段が設けられていることを特徴とする請求項２記載のオーディオ信号処理回路。
【請求項４】
前記第１のジャックは、更にグランドに接続された第３の接触導体を有し、非平衡型オーディオ信号回路に接続されているプラグが前記第１のジャックに挿入された時に前記第２の接触導体が前記プラグを介して前記第３の接触導体に接続されることを特徴とする請求項３記載のオーディオ信号処理回路。
【請求項５】
前記信号選択伝送スイッチ手段は、前記第２のジャックに内蔵されており、
前記第２のジャックは変位可能な第１、第２の接触導体と固定の第３の接触導体とを有する他に、前記信号選択伝送スイッチ手段としての補助スイッチを有し、
前記補助スイッチは前記第２のプラグが前記第２のジャックに挿入された時の前記第２のジャックの前記第１の接触導体の変位に追従してオン状態となるものであり且つ前記インピーダンス調整回路と前記平衡型増幅回路の第１の入力端子との間に接続されていることを特徴とする請求項３又は４記載のオーディオ信号処理回路。
【請求項６】
前記補助スイッチは、前記第２のプラグが挿入された時の前記第２のジャックの前記第１の接触導体の変位に応じて変位する部材から成り且つ前記ジャックの前記第１の接触導体に対して電気的に絶縁されている第１の補助端子と、前記第２のプラグが挿入された時に前記第１の補助端子に接触する第２の補助端子とから成ることを特徴とする請求項５記載のオーディオ信号処理回路。
【請求項７】
前記第２のジャックは、変位可能な第１及び第２の接触導体と固定の第３の接触導体と前記第２のプラグが挿入されていない時に前記第２のジャックの前記第１の接触端子に電気的に接触している補助端子とを有し、非平衡型オーディオ信号源に接続されている前記第２のプラグが前記第２のジャックに挿入された時に、前記第２のジャックの前記第１の接触導体に前記第２のプラグのオーディオ信号端子が接触し、前記第２のジャックの前記第２及び第３の接触導体に前記第２のプラグのグランド端子が接触し、前記第２のジャックの前記第１の接触導体が前記補助端子から離間するものであり、
前記インピーダンス調整回路は前記第２のジャックの前記第１の接触導体と前記増幅回路との間に接続され、
前記信号選択伝送スイッチ手段は前記インピーダンス整合回路に直列に接続された制御可能なスイッチ素子であり、
前記第２のジャックの前記第２の接触導体は第２のプラグが挿入された時に前記第２のプラグを介して前記第２のジャックの前記第３の接触導体に接続されるものであり、
更に、前記第２のジャックの前記第２の接触導体と前記スイッチ素子の制御端子との間にスイッチ制御回路が接続されており、
前記スイッチ制御回路は前記第２のジャックに前記第２のプラグが挿入された時に前記スイッチ素子をオンに制御するものであることを特徴とする請求項２記載のオーディオ信号処理回路。
【請求項８】
前記第１のジャックは第１のオーディオ信号を入力させるための第１及び第２の接触導体を有し、
前記増幅回路は前記第１のジャックの前記第１の接触導体に接続された第１の入力端子と前記第２の接触導体に接続された第２の入力端子とを有する平衡型増幅回路であり、
前記信号選択伝送スイッチ手段は前記インピーダンス調整回路と前記平衡型増幅回路の前記第１の入力端子との間に接続されており、
前記第２のジャックは非平衡型の第２のオーディオ信号を入力させるものであり、
更に、前記第２のジャックに対する前記第２のプラグの挿入に応答して前記平衡型増幅回路の前記第２の入力端子をグランドに接続するグランド用スイッチ手段が設けられ、
前記グランド用スイッチ手段は前記第２のジャックに前記第２のプラグが挿入された時の前記スイッチ制御回路の出力でオン制御されるスイッチ素子であることを特徴とする請求項７記載のオーディオ信号処理回路。
【請求項９】
前記スイッチ制御回路は、
クロック信号を発生するクロック発生器と、
結合コンデンサを介して前記クロック発生器に接続され且つ結合コンデンサを介さないで前記第２のジャックの前記第２の接触導体に接続された制御端子とグランドに接続された第１の主端子と抵抗を介して直流電源端子に接続された第２の主端子とを有し、前記第２のジャックに前記第２のプラグが挿入された時にオフになる第１の半導体スイッチと、
前記第１の半導体スイッチの前記第２の主端子に接続された制御端子とグランドに接続された第１の主端子と抵抗を介して直流電源端子に接続された第２の主端子とを有し、前記第１の半導体スイッチのオフに応答してオンになる第２の半導体スイッチと、
前記第２の半導体スイッチの前記第２の主端子に接続された制御端子と正の直流電源端子に接続された第１の主端子と負の直流電源端子又はグランドに抵抗を介して接続された第２の主端子とを有し、前記第２の半導体スイッチのオンに応答してオンになり、前記信号選択伝送スイッチ手段のスイッチ素子と前記グランド用スイッチ手段の半導体スイッチとの両方をオン制御する第３のスイッチ素子と
から成ることを特徴とする請求項７記載のオーディオ信号処理回路。
【請求項１０】
前記インピーダンス調整回路はバッファ増幅回路である請求項２乃至９のいずれかに記載のオーディオ信号処理回路。
【請求項１１】
第１のオーディオ信号を入力させるための第１のプラグが挿入される第１のジャックと、
第２のオーディオ信号を入力させるための第２のプラグが挿入される第２のジャックと、
前記第１のジャックに接続され且つ前記第１のオーディオ信号に対して適合するようにインピーダンスとゲインとのいずれか一方又は両方が設定されている増幅回路と、
前記第２のジャックに対する前記第２のプラグの挿入に応答して前記第２のオーディオ信号に対してインピーダンスとゲインとのいずれか一方又は両方を適合化させる適合化手段と、
前記増幅回路に接続された記録装置と
から成るオーディオ装置。
【発明の詳細な説明】
【０００１】
【発明の属する技術分野】
本発明は複数のオーディオ信号を選択的に処理するためのオーディオ信号処理回路及びこれを使用したオーディオ装置に関する。
【０００２】
【従来の技術】
【特許文献１】特開２００１−１９６８６７号公報
マイク等から得られた第１のオーディオ信号とギター等の楽器から得られた第２のオーディオ信号とを選択的に記録するマルチトラックレコーダは周知である。この種のマルチトラックレコーダは、磁気テープ等を使用したアナログ記録装置、又はハードディスク等を使用したディジタル記録装置から成る。これ等の記録装置には標準ジャックが設けられており、このジャックに対してマイク、ギター、ＭＩＤＩ音源、又は別のオーディオ装置のライン出力に接続されたプラグが挿入される。
【０００３】
ところで、プラグに接続されたオーディオ信号源の出力インピーダンスは互いに異なる。例えば、平衡型（バランス型）マイクのインピーダンスは５００Ω、ライン出力のインピーダンスは６００Ω、エレクトリックギターのインピーダンスは１５ｋΩ〜数１００ｋΩである。もし、インピーダンス整合又はインピ−ダンスの適合化を取らずに単一の入力増幅回路に対して全ての音源の信号を選択的に入力させると、インピーダンス整合又はインピ−ダンスの適合化の取れていない音源においては、高域が極端に減衰してしまう等の音質劣化が生じる。このため、従来装置には、インピーダンス整合又はインピ−ダンスの適合化を調整するための機械的スイッチが設けられており、このスイッチが入力ソースの種類に応じて手動で切替えられた。
【０００４】
【発明が解決しようとする課題】
上記インピーダンス整合調整又はインピ−ダンス適合化用スイッチは操作者（演奏者）による手動切替えであるため、操作者にとって不便であるばかりでなく、切替え忘れを起す恐れがあった。
前記特許文献１には、マイクロホン出力信号にエフェクタ回路をインサーション・ジャックを使用して選択的に接続する時に、ゲイン設定回路のゲインの切替えをインサーション・ジャックを使用して自動的に行うことが開示されている。しかし、この特許文献１に開示されている技術は、１つのオーディオ信号ラインにエフェクタ等を介在させるものであって、本願発明に関係する複数のオーディオ信号を選択的に入力させる技術とは本質的に相違している。従って、前記特許文献１の技術を複数のオーディオ信号を選択的に入力させる回路に適用することはできない。
【０００５】
そこで、本発明の目的は、複数のオーディオ信号の選択的入力を容易に達成することができ、且つ各オーディオ信号に適合した増幅を容易に行うことができるオーディオ信号処理回路及びこれを使用したオーディオ装置を提供することにある。
【０００６】
【課題を解決するための手段】
上記課題を解決し、上記目的を達成するための本発明は、第１のオーディオ信号を入力させるための第１のプラグが挿入される第１のジャックと、第２のオーディオ信号を入力させるための第２のプラグが挿入される第２のジャックと、前記第１のジャックに接続され且つ前記第１のオーディオ信号に対して適合するようにインピーダンスとゲインとのいずれか一方又は両方が設定されている増幅回路と、前記第２のジャックに対する前記第２のプラグの挿入に応答して前記第２のオーディオ信号に対してインピーダンスとゲインとのいずれか一方又は両方を適合化させる適合化手段とを有していることを特徴とするオーディオ信号処理回路に係わるものである。
上記オーディオ信号処理回路は、請求項２に示すように、第１のオーディオ信号を入力させるための第１のプラグが挿入される第１のジャックと、第２のオーディオ信号を入力させるための第２のプラグが挿入される第２のジャックと、前記第１のジャックに接続され且つ前記第１のオーディオ信号に対して適合するようにインピーダンスが設定されている増幅回路と、前記第２のジャックに接続され且つ前記第２のオーディオ信号に対するインピーダンスを調整するように設定されたインピーダンス調整回路と、前記インピーダンス調整回路と前記増幅回路の入力端子との間に接続され且つ前記第２のジャック対する前記第２のプラグの挿入に応答してオン状態になる信号選択伝送スイッチ手段とで構成することができる。
【０００７】
また、請求項３に示すように、前記第１のジャックは前記第１のオーディオ信号を入力させるための第１及び第２の接触導体を有し、前記増幅回路は前記第１のジャックの前記第１の接触導体に接続された第１の入力端子と前記第２の接触導体に接続された第２の入力端子とを有する平衡型増幅回路であり、前記信号選択伝送スイッチ手段は前記インピーダンス調整回路と前記平衡型増幅回路の前記第１の入力端子との間に接続されており、前記第２のジャックは非平衡型の第２のオーディオ信号を入力させるものであり、更に、前記第２のジャックに対する前記第２のプラグの挿入に応答して前記平衡型増幅回路の前記第２の入力端子をグランドに接続するグランド用スイッチ手段が設けられていることが望ましい。また、請求項４に示すように、前記第１のジャックは、更にグランドに接続された第３の接触導体を有し、非平衡型オーディオ信号回路に接続されているプラグが前記第１のジャックに挿入された時に前記第２の接触導体が前記プラグを介して前記第３の接触導体に接続されることが望ましい。
また、請求項５に示すように、前記信号選択伝送スイッチ手段は、前記第２のジャックに内蔵されており、前記第２のジャックは変位可能な第１、第２の接触導体と固定の第３の接触導体とを有する他に、前記信号選択伝送スイッチ手段としての補助スイッチを有し、前記補助スイッチは前記第２のプラグが前記第２のジャックに挿入された時の前記第２のジャックの前記第１の接触導体の変位に追従してオン状態となるものであり且つ前記インピーダンス調整回路と前記平衡型増幅回路の第１の入力端子との間に接続されていることが望ましい。
また、請求項６に示すように、前記補助スイッチは、前記第２のプラグが挿入された時の前記第２のジャックの前記第１の接触導体の変位に応じて変位する部材から成り且つ前記ジャックの前記第１の接触導体に対して電気的に絶縁されている第１の補助端子と、前記第２のプラグが挿入された時に前記第１の補助端子に接触する第２の補助端子とから成ることが望ましい。
また、請求項７に示すように、前記第２のジャックは、変位可能な第１及び第２の接触導体と固定の第３の接触導体と前記第２のプラグが挿入されていない時に前記第２のジャックの前記第１の接触端子に電気的に接触している補助端子とを有し、非平衡型オーディオ信号源に接続されている前記第２のプラグが前記第２のジャックに挿入された時に、前記第２のジャックの前記第１の接触導体に前記第２のプラグのオーディオ信号端子が接触し、前記第２のジャックの前記第２及び第３の接触導体に前記第２のプラグのグランド端子が接触し、前記第２のジャックの前記第１の接触導体が前記補助端子から離間するものであり、前記インピーダンス調整回路は前記第２のジャックの前記第１の接触導体と前記増幅回路との間に接続され、前記信号選択伝送スイッチ手段は前記インピーダンス整合回路に直列に接続された制御可能なスイッチ素子であり、前記第２のジャックの前記第２の接触導体は第２のプラグが挿入された時に前記第２のプラグを介して前記第２のジャックの前記第３の接触導体に接続されるものであり、更に、前記第２のジャックの前記第２の接触導体と前記スイッチ素子の制御端子との間にスイッチ制御回路が接続されており、前記スイッチ制御回路は前記第２のジャックに前記第２のプラグが挿入された時に前記スイッチ素子をオンに制御するものであることが望ましい。
また、請求項８に示すように、前記第１のジャックは第１のオーディオ信号を入力させるための第１及び第２の接触導体を有し、前記増幅回路は前記第１のジャックの前記第１の接触導体に接続された第１の入力端子と前記第２の接触導体に接続された第２の入力端子とを有する平衡型増幅回路であり、前記信号選択伝送スイッチ手段は前記インピーダンス調整回路と前記平衡型増幅回路の前記第１の入力端子との間に接続されており、前記第２のジャックは非平衡型の第２のオーディオ信号を入力させるものであり、更に、前記第２のジャックに対する前記第２のプラグの挿入に応答して前記平衡型増幅回路の前記第２の入力端子をグランドに接続するグランド用スイッチ手段が設けられ、前記グランド用スイッチ手段は前記第２のジャックに前記第２のプラグが挿入された時の前記スイッチ制御回路の出力でオン制御されるスイッチ素子であることが望ましい。
また、請求項９に示すように、前記スイッチ制御回路は、クロック信号を発生するクロック発生器と、結合コンデンサを介して前記クロック発生器に接続され且つ結合コンデンサを介さないで前記第２のジャックの前記第２の接触導体に接続された制御端子とグランドに接続された第１の主端子と抵抗を介して直流電源端子に接続された第２の主端子とを有し、前記第２のジャックに前記第２のプラグが挿入された時にオフになる第１の半導体スイッチと、前記第１の半導体スイッチの前記第２の主端子に接続された制御端子とグランドに接続された第１の主端子と抵抗を介して直流電源端子に接続された第２の主端子とを有し、前記第１の半導体スイッチのオフに応答してオンになる第２の半導体スイッチと、前記第２の半導体スイッチの前記第２の主端子に接続された制御端子と正の直流電源端子に接続された第１の主端子と負の直流電源端子又はグランドに抵抗を介して接続された第２の主端子とを有し、前記第２の半導体スイッチのオンに応答してオンになり、前記信号選択伝送スイッチ手段のスイッチ素子と前記グランド用スイッチ手段の半導体スイッチとの両方をオン制御する第３のスイッチ素子とから成ることが望ましい。
また、請求項１０に示すように、前記インピーダンス調整回路はバッファ増幅回路であることが望ましい。
また、請求項１１に示すように、第１のオーディオ信号を入力させるための第１のプラグが挿入される第１のジャックと、第２のオーディオ信号を入力させるための第２のプラグが挿入される第２のジャックと、前記第１のジャックに接続され且つ前記第１のオーディオ信号に対して適合するようにインピーダンスとゲインとのいずれか一方又は両方が設定されている増幅回路と、前記第２のジャックに対する前記第２のプラグの挿入に応答して前記第２のオーディオ信号に対してインピーダンスとゲインとのいずれか一方又は両方を適合化させる適合化手段と、前記増幅回路に接続された記録装置とから成るオーディオ装置を構成することができる。
【０００８】
【発明の効果】
本願の各請求項の発明によれば、第１のオーディオ信号のための第１のジャックの他に第２のオーディオ信号のための第２のジャックが設けられ、第２のジャックに第２のプラグが挿入されると、第２のオーディオ信号に対してインピーダンスとゲインとのいずれか一方又は両方が自動的に適合化させる。このため、第１及び第２のオーディオ信号に対する適合化を容易に達成することができ、第１及び第２のオーディオ信号の処理を良好に行うことができる。
また、請求項３の発明によれば、第１のオーディオ信号が平衡型であり、第２のオーディオ信号が非平衡型である場合であっても、増幅回路を第１及び第２のオーディオ信号で兼用することができる。
請求項５〜１０の発明によれば、第２のジャックを使用して第２のオーディオ信号の選択的伝送の制御及びインピーダンス調整回路の選択的接続を行うことができるので、オーディオ信号処理回路の小型化及び低コスト化を図ることができる。
請求項８及び９の発明によれば、インピーダンス調整回路の選択的接続のみでなく、増幅回路の平衡型と非平衡型との切替えも容易に行うことができる。
【０００９】
【第１の実施形態】
次に、図１を参照して本発明の第１の実施形態に係わるオーディオ信号処理回路を有するオーディオ装置を説明する。
【００１０】
このオーディオ装置は、複数のオーディオ信号の記録及び再生を行うことができる装置であって、大別してオーディオ信号処理回路１と、アナログ・ディジタル変換器即ちＡＤＣ２と、再生機能も有するディジタル記録機３とから成る。なお、図示はされていないが、オーディオ装置で必要になる混合回路、更に別の信号入力回路等を設けることができる。  また、ＡＤＣ２と記録機３とを合わせて記録装置と呼ぶこともできる。
【００１１】
オーディオ信号処理回路１は、第１及び第２のジャック４、５と、平衡型増幅回路６と、インピーダンス調整回路としてのバッファ増幅回路７とから成る。
【００１２】
第１のジャック４は第１のオーディオ信号を入力させるための第１のプラグ８又は８ａを挿入するものであり、第２のジャック５は第２のオーディオ信号を入力させるための第２のプラグ９を挿入するものである。この実施形態において、第１のプラグ８は平衡型マイクロホンから成る第１の信号源１０に接続され、第２のプラグ９はエレクトリックギターから成る非平衡型の第２の信号源１１に接続されている。第１のプラグ８から見た第１の信号源１０の出力インピーダンスは５００Ωであり、第２のプラグ９から見た第２の信号源１１の出力インピーダンスは１５ｋΩ〜数１００ｋΩである。第１のプラグ８はステレオ型であって、プラグ側チップ端子又は接触導体と呼ぶこともできる第１の信号端子１２と、プラグ側リング端子又は接触導体と呼ぶことができる第２の信号端子１３と、プラグ側スリーブ端子又はグランド接触導体と呼ぶことができるグランド端子１４とを有する。第１の信号源１０は第１及び第２の信号端子１２、１３間に接続されている。第１のプラグ８の代りにライン入力用プラグ８ａを第１のジャック４に挿入することができる。このライン入力用プラグ８ａは１つの信号端子１２と１つのグランド端子１４とを有する。
第２のプラグ９はプラグ側チップ又は接触導体とも呼ぶこともできる１つの信号端子１５とプラグ側グランド接触導体と呼ぶこともできる１つのグランド端子１６とを有する。
【００１３】
第１のジャック４は、チップ又は変位可能な接触バネ又はジャック入力端子と呼ぶこともできる第１の接触導体１７と、リング又は変位可能な接触バネ又はジャック入力端子と呼ぶこともできる第２の接触導体１８と、スリーブ又は固定のグランド導体又はジャックグランド端子と呼ぶこともできる第３の接触導体１９とを有する。第１のジャック４に第１のプラグ８又は８ａが挿入されていない時には第１、第２及び第３の接触導体は互いに分離されている。第１のジャックにステレオ型の第１のプラグ８が挿入された時には、プラグ８の第１の信号端子１２が第１の接触導体１７に接続され、第２の信号端子１３が第２の接触導体１８に接続され、グランド端子１４がグランド即ち共通端子に接続された第３の接触導体１９に接続される。従って、第１及び第２の接触導体１７、１８に平衡型オーディオ信号が入力する。
非平衡型オーディオ信号源に接続されたモノラル型の第１のプラグ８ａが第１のジャック４に挿入された時には、第１のプラグ８ａの信号端子１２が第１のジャック４の第１の接触導体１７に接続され、第１のプラグ８ａのグランド端子１４が第１のジャック４の第２及び第３の接触導体１８、１９に接触する。従って、第１の接触導体１７にオーディオ信号が入力し、第２の接触導体１８は第１のプラグ８ａのグランド端子１４を介して第３の接触導体１９に接続される。
【００１４】
第２のジャック５は、ステレオ型の第１のジャック４と同様に、チップ又は変位可能な接触バネ又はジャック入力端子と呼ぶこともできる第１の接触導体２０と、リング又は変位可能な接触バネ又はジャック入力端子と呼ぶこともできる第２の接触導体２１と、スリーブ又は固定のグランド導体又はジャックグランド端子と呼ぶことができる第３の接触導体２２とを有する他に、信号選択伝送スイッチ手段としての補助スイッチ２４を有する。なお、第２のジャック５の第１、第２及び第３の接触導体２０、２１、２２を、第１のジャック４の第１、第２及び第３の接触導体１７、１８、１９と区別するために第４、第５及び第６の接触導体と呼ぶこともできる。
【００１５】
第２のジャック５の第１、第２及び第３の接触導体２０、２１、２２は第２のプラグ９が挿入されていない時に互いに非接続である。第２のプラグ９が第２のジャック５に挿入されると、第２のプラグ９の信号端子１５が第２のジャック５の第１の接触導体２０に接続され、グランド端子１６が第２及び第３の接触導体２１、２２に接続される。従って、第２のジャック５の第２の接触導体２１は第２のプラグ９のグランド端子１６と第３の接触導体２２とを介してグランドに接続される。
【００１６】
第２のジャック５に内蔵又は一体化された信号選択伝送スイッチとしての補助スイッチ２４は第２のプラグ９が第２のジャック５に挿入された時にオンになり、第２のオーディオ信号の伝送路を形成する。この補助スイッチ２４は、変位可能なバネから成る第１の補助端子２５と固定された第２の補助端子２６と絶縁部材２３とから成る。第１の補助端子２５は第１の接触導体２０に従動するように絶縁部材２３を介して第１の接触導体２０に関連付けられている。この実施形態では絶縁部材２３が第１の接触導体２０側に固定されているが、絶縁部材２３を第１の補助端子２５側に固定すること又は第１の接触導体２０と第１の補助端子２５との両方に固定することもできる。第１の補助端子２５は第２のプラグ９が非挿入の時に第２の補助端子２６から離間し、第２のプラグ９が挿入された時に第２の補助端子２６に接触する。
【００１７】
増幅回路６は、平衡型増幅回路であって、第１及び第２の入力端子２７、２８と、第１及び第２の入力回路２９、３０と、差動増幅器３１とから成る。第１の入力端子２７は第１の入力回路２９を介して差動増幅器３１の正入力端子に接続され、第２の入力端子２８は第２の入力回路３０を介して差動増幅器３１の負入力端子に接続されている。第１の入力回路２９は第１の入力端子２７とグランドとの間に接続された第１の抵抗Ｒ１  と、第１の入力端子２７と差動増幅器３１の正入力端子との間に接続された第１の結合コンデンサＣ１  と第２の抵抗Ｒ２  との直列回路から成る。第２の入力回路３０は第２の入力端子２８とグランドとの間に接続された第３の抵抗Ｒ３  と第２の入力端子２８と差動増幅器３１の負入力端子との間に接続された第２の結合コンデンサＣ２  と第４の抵抗Ｒ４  との直列回路から成る。平衡型増幅回路６の第１の入力端子２７は第１のジャック４の第１の接触導体１７に接続されていると共に第２のジャック５に内蔵された補助スイッチ２４の第２の補助端子２６に接続されている。第２の入力端子２８は第１のジャック４の第２の接触導体１８及び第２のジャック５の第２の接触導体２１に接続されている。
【００１８】
第１のジャック４側から見た平衡型増幅回路６の入力インピーダンスは、第１のジャック４又は第１のプラグ８側から見た第１の信号源１０の出力インピーダンスと同一又はそれ以上であり、両者は完全に又はおおむねインピーダンス整合している。即ち平衡型増幅回路６の入力インピ−ダンスは第１の信号源１０に適合するように設定されている。また、平衡型増幅回路６のゲイン（利得）は第１の信号源１０に適合するように設定されている。
【００１９】
この第１の実施形態における適合化手段は、バッファ増幅回路７と補助スイッチ２４とからなる。インピーダンス整合回路又はインピーダンス調整回路又はインピ−ダンス適合化回路又はインピ−ダンス及びゲイン適合化回路としてのバッファ増幅回路７は、第２のジャック５の第１の接触導体２０と第１の補助端子２５との間に接続されている。従って、バッファ増幅回路７は第２のジャック５の第１の接触導体２０と平衡型増幅回路６の第１の入力端子２７との間に補助スイッチ２４を介して選択的に接続される。
【００２０】
第２のジャック５に第２のプラグ９が挿入された時において第２のジャック５から出力側を見た入力インピーダンスと、第２のジャック５又は第２のプラグ９から第２の信号源１１側を見た出力インピーダンスとがほぼ等しくなるか、あるいは入力インピ−ダンスより出力インピ−ダンスが大きくなるようにバッファ増幅回路７の入力インピーダンスが設定されている。また、バッファ増幅回路７は、第２の信号源１１に対するゲイン適合化機能を有する。
【００２１】
平衡型増幅回路６の出力端子に接続されたＡＤＣ２は、増幅回路６から送出されたアナログの第１のオーディオ信号又は第２のオーディオ信号をディジタル信号に変換する。
【００２２】
ＡＤＣ２に接続された再生機能を有するディジタル記録機３はＡＤＣ２の出力を磁気記録媒体又は光学記録媒体又は光磁気記録媒体等に再生可能に記録する。
【００２３】
マイクロホン等の第１の信号源１０の第１のオーディオ信号に対応するディジタル信号を記録機３の記録媒体に記録する時には、第１のプラグ８を第１のジャック４に挿入する。この時、第２のプラグ９の第２のジャック５への挿入は禁止する。第２のプラグ９が第２のジャック５に挿入されていない時には、バッファ増幅回路７及び第２のジャック５側の回路は平衡型増幅回路６から切り離れている。第１のプラグ８の第１の信号端子１２は第１のジャック４の第１の接触導体１７に接触し、第２の信号端子１３は第２の接触導体１８に接触し、グランド端子１４は第３の接触導体１９に接触する。これにより、平衡型増幅回路６の第１及び第２の入力端子２７、２８に平衡型の第１のオーディオ信号が入力し、差動増幅器３１で増幅されてＡＤＣ２に送られ、第１のオーディオ信号が記録機３においてディジタル記録される。
【００２４】
プラグ８の代りに別のオーディオ装置の出力ラインに接続されたプラグ８ａを第１のジャック４に挿入した時には、プラグ８ａの信号端子１２が第１のジャック４の第１の接触導体１７に接触し、プラグ８ａのグランド端子１４は第１のジャック４の第２及び第３の接触導体１８、１９に接触する。これにより、平衡型増幅回路６の第２の入力端子２８が第２の接触導体１８と第１のプラグ８ａのグランド端子１４と第１のジャック４の第３の接触導体１９とを介してグランドに接続される。この結果、増幅回路６は非平衡増幅回路になり、第１のジャック４の第１の接触導体１７に入力する非平衡のライン出力が非平衡の増幅回路６で増幅される。
【００２５】
第１のジャック４に第１のプラグ８又は８ａを挿入しない状態に保って、第２のジャック５に第２のプラグを挿入した時には、第２のプラグ９の信号端子１５が第２のジャック５の第１の接触導体２０に接触し、グランド端子１６が第３の接触導体２２に接触し、同時に板バネから成る第１の補助端子２５が第１の接触導体２０の変位に応じて変位して第２の補助端子２６に接触し、補助スイッチ２４がオンになる。これにより、非平衡型の第２の信号源１１が第２のプラグ９及び第２のジャック５を介して増幅器３１に接続される。即ち、第２の信号源１１は、第２のプラグ９の信号端子１５、第２のジャック５の第１の接触端子２０、バッファ増幅回路７、補助スイッチ２４、第１の入力回路２９を介して増幅器３１の正入力端子に接続される。これと同時に第２のジャック５の第２の接触端子２１が第２のプラグ９のグランド端子１６を介して第３の接触端子２２に接続されることによって、平衡型増幅回路６の入力端子２８がグランドに接続され、平衡型増幅回路６は非平衡型増幅回路として動作する。第２の信号源１１の第２のオ−ディオ信号は、インピ−ダンス整合回路又はインピ−ダンス調整回路としてのバッファ増幅回路７を介して増幅回路６に送られるので、良好なインピ−ダンス整合状態又はインピ−ダンス適合状態及びゲイン適合状態で良好な増幅が達成され、記録機３において記録媒体に良好に記録される。
【００２６】
本実施形態は次の効果を有する。
（１）  第２のプラグ９を第２のジャック５に挿入するのみで、インピ−ダンス整合回路又はインピ−ダンス調整回路又はインピ−ダンス適合化回路又はインピ−ダンス及びゲイン適合化回路としての機能を有するバッファ増幅回路７が自動的に接続されるので、手動による切換操作が不要になり、使い勝手のよいオ−ディオ信号処理回路及び記録装置を提供することができる。
（２）  第１の信号源１０に適合するように平衡型に形成されて増幅回路６が第２のプラグ９を第２のジャック５に挿入することによって自動的に非平衡型に切換わるので、手動による切換操作が不要になり、使い勝手の良いオ−ディオ信号処理回路及び記録装置を提供することができる。
（３）  第１のジャック４に非平衡型信号源が接触されたプラグ８ａを挿入すると、増幅回路６は自動的に非平衡型になるので、使い勝手の良いオ−ディオ信号処理回路及び記録装置を提供することができる。
（４）  第２のオ−ディオ信号の伝送のオン・オフ及び増幅回路６の平衡と非平衡の切換を第２のジャック５を使用して行うので、オ−ディオ信号処理回路の構成が簡単になる。
【００２７】
【第２の実施形態】
次に、図２を参照して第２の実施形態のオ−ディオ信号処理回路１ａを説明する。但し、図２において図１と実質的に同一の部分には同一の符号を付してその説明を省略する。
【００２８】
図２のオ−ディオ信号処理回路１ａは、図１の第２のジャック５を変形した第２のジャック５ａを設け、図１の補助スイッチ２４の代りにＦＥＴから成る制御可能な第１のスイッチ素子２４ａを設け、図１の第２及び第３の接触導体２１、２２間のスイッチ機能の代りに制御可能な第２のスイッチ素子４０を設け、更に第１及び第２のスイッチ素子２４ａ、４０を制御するためのスイッチ制御回路４１を設け、この他は、図１と同一に構成したものである。この第２の実施形態における適合化手段は、バッファ増幅回路７と第１及び第２のスイッチ素子２４ａ、４０とスイッチ制御回路４１と補助端子４２とからなる。
【００２９】
図２の第２のジャック５ａは、図１の第２のジャック５から補助スイッチ２４を取り外し、補助端子４２を設け、この他は、図１と同一に形成したものであって、汎用のステレオ型ジャックと同一構成を有する。補助端子４２は、図１に示した第２のプラグ９を挿入しない時には第１の接触導体２０に接続され且つグランド（共通導体）にも接続されている。第２のジャック５ａに図１の第２のプラグ９が挿入されると、図１の場合と同様に、第１の接触導体２０が第２のプラグ９の信号端子１５に接触し、第２及び第３の接触導体２１、２２が第２のプラグ９のグランド端子１６に接触する。
【００３０】
図２のバッファ増幅回路７は、ＦＥＴ（接合型電界効果トランジスタ）から成る増幅素子４３と対の直流電源端子４４、４５と、抵抗４６、４７と、２つの結合コンデンサ４８、４９とから成る。増幅素子４３の一方の主端子（ドレイン）は正の直流電源端子４４に接続され、他方の主端子（ソ−ス）は抵抗４５を介して負またはグランドの直流電源端子４５に接続されている。一方の結合コンデンサ４８は第２のジャック５ａの第１の接触導体２０と増幅素子４３の制御端子との間に接続されている。他方の結合コンデンサ４９の一端は増幅素子４３と抵抗４６との相互間に接続されている。抵抗４７は増幅素子４３の制御端子とグランドとの間に接続されている。増幅素子４３及び抵抗４６には第２のオ−ディオ信号の振幅に応じた電流が流れ、結合コンデンサ４９を介して第２のオ−ディオ信号に応じた信号が出力される。
【００３１】
信号選択伝送スイッチ手段としての第１のスイッチ素子２４ａは、スイッチ制御回路４１の抵抗５４の出力端から正の出力信号が発生した時にオンに成る形式のＮチャネル接合型ＦＥＴ（電界効果トランジスタ）から成り、バッファ増幅回路７の結合コンデンサ４９の他方の端子と増幅回路６の第１の入力端子２７との間に接続されている。更に、詳細には、第１のスイッチ素子２４ａの一方の主端子（ドレイン）が結合コンデンサ４９に接続され、他方の主端子（ソ−ス）が第１の入力端子２７に接続されている。第１のスイッチ素子２４ａは接合型ＦＥＴに限るものでなく、バイポ−ラトランジスタ、ＭＯＳＦＥＴ、ＩＧＢＴ等の半導体スイッチとすることができる。
【００３２】
グランド用スイッチ手段としての第２のスイッチ素子４０は、増幅回路６の第２の入力端子２８とグランドとの間に接続されたトランジスタから成る。図２では第２のスイッチ素子４０としてｎｐｎトランジスタが使用され、エミッタが第２の入力端子２８に接続され、コレクタがグランドに接続されている。なお、第２のスイッチ素子４０としてのトランジスタのエミッタをグランドに接続し、コレクタを第２の入力端子２８に接続することもできる。また、第２のスイッチ素子４０をＦＥＴ、ＩＧＢＴ等の別の半導体スイッチとすることができる。
【００３３】
スイッチ制御回路４１は、半導体スイッチとしてのｐｎｐ型のトランジスタ５０と、５個の抵抗５１、５２、５３、５４、５５と、１つのコンデンサ５６と、２つの逆流阻止ダイオ−ド５７、５８と、２つの直流電源端子５９、６０とから成る。トランジスタ５０のベ−スは抵抗５１を介して第２のジャック５ａの第２の接触導体２１に接続されている。トランジスタ５０のエミッタは正の直流電源端子５９に接続されている。トランジスタ５０のコレクタは抵抗５３を介して負の直流電源端子６０に接続され、且つ抵抗５４とダイオ−ド５７を介して第１のスイッチ素子２４ａの制御端子に接続され、且つ抵抗５４とダイオ−ド５８と抵抗５５とを介して第２のスイッチ素子４０の制御端子に接続されている。抵抗５２はトランジスタ５０のエミッタとベ−スとの間に接続されている。コンデンサ５６は抵抗５４の出力側端子と負の直流電源端子６０との間に接続されている。
【００３４】
図２の第１ジャック４に、図１のプラグ８又は８ａを挿入した時には、図１の回路と同一の動作が生じる。
図２のジャック５ａに第２のプラグ９が挿入されていない時には、スイッチ制御回路４１のトランジスタ５０がオフ状態となり、スイッチ制御回路４１の抵抗５４の出力端の電圧が負になり、第１及び第２のスイッチ素子２４ａ、４０がオフ状態に保たれる。
【００３５】
第１のジャック４に第１のプラグ８又は８ａを挿入しない状態で第２のジャック５ａに図１の第２のプラグ９を挿入すると、トランジスタ５０のベ−スが抵抗５１と第２の接触導体２１と図１に示した第２のプラグ９のグランド端子１６と第３の接触導体２２とを介してグランドに接続され、トランジスタ５０がオンになる。この結果、スイッチ制御回路４１の抵抗５４の出力端の電圧が正になり、第１及び第２のスイッチ素子２４ａ、４０もオンになる。
また、第２のジャック５ａの第１の接触導体２０が補助端子４２から離間し、且つ図１の第２のプラグ９の信号端子１５に接触する。このため、図１の第２の信号源１１の第２のオ−ディオ信号は、第２のジャック５ａの第１の接触導体２０とバッファ増幅回路７と第１のスイッチ素子２４ａとを介して増幅回路６の第１の入力端子２７に入力する。増幅回路６の第２の入力端子２８は第２のスイッチ素子４０でグランドに接続されるので、増幅回路６は非平衡増幅回路として動作する。
【００３６】
第２の実施形態は第１の実施形態における（１）（２）（３）と同一の効果を得ることができる。また、第２の実施形態によれば、第２のジャック５ａの第２及び第３の接触導体２１、２２を使用して第１及び第２のスイッチ素子２４ａ、４０の制御を行うことができ、制御回路の構成が簡単になる。また、第２のジャック５ａとして汎用のステレオ型ジャックを使用するので、コストの上昇を抑えることができる。
【００３７】
【第３の実施形態】
次に、図３及び図４を参照して第３の実施形態のオ−ディオ信号処理回路１ｂを説明する。但し、図３及び後述する第４〜第８の実施形態を示す図５〜図９において、図１及び図２と実質的に同一の部分に同一の符号を付し、その説明を省略する。
【００３８】
図３の第３の実施形態のオ−ディオ信号処理回路１ｂは、図２のスイッチ制御回路４１を変形したスイッチ制御回路４１ａを設け、この他は図２と同一に構成したものである。図３のスイッチ制御回路４１ａにおいて参照符号５０〜６０で示すものは図２において同一符号で示すものと同一である。図３のスイッチ制御回路４１ａは、図２のスイッチ制御回路４１に対してクロック発生器７０、第１及び第２の半導体スイッチ又は半導体制御素子としての２つのトランジスタ７１、７２、７つの抵抗７３〜７９、２つのコンデンサ８０、８１、１つのダイオ−ド８２、及び１つの直流電源端子８３を付加したものである。図３のスイッチ制御回路４１ａは、ここに含まれている直流電源の電圧が第２のジャック５ａに接続される図１の第２のプラグ９に延びて行くことを防ぐ回路を有する。第２のプラグ９に接続された第２の信号源１１が、プラグ挿入時に生じる恐れのある直流電圧の印加を問題としないものであれば、図２のスイッチ制御回路４１で十分である。
【００３９】
図３のスイッチ制御回路４１ａに含まれている第１の半導体スイッチとしての第１のトランジスタ７１の入力側が第２のジャック５ａの第２の接触導体２１に接続されているため、第２のプラグ９の挿入が完了するまで、第１のトランジスタ７１の出力側にある直流電源端子５９、８３の直流電圧が第２のプラグ５ａに延びて行かない。
【００４０】
クロック発生器７０は、聴感上問題とならない電圧レベルと周波数のクロック信号を図４（Ａ）に示すように発生する。クロック信号の周波数は例えば３０ｋＨｚ以上の任意の値に設定される。クロック発生器７０は抵抗７３とコンデンサ８０と抵抗７４とを介してｎｐｎ型の第１のトランジスタ７１のベ−スに接続されている。この第１のトランジスタ７１のエミッタはグランドに接続され、コレクタは抵抗７６を介して直流電源端子８３に接続されている。抵抗７５は第１のトランジスタ７１のベ−ス・エミッタ間に接続されている。ダイオ−ド８２は抵抗７４を介してトランジスタ７１のベ−ス・エミッタ間に逆方向並列に接続されている。また、第１のトランジスタ７１のベ−ス（制御端子）は抵抗７４を介して第２のジャック５ａの第２の接触導体２１に接続されている。クロック発信器７０が抵抗７３とコンデンサ８０とを介して第２の接触導体２１に接続されているので、第２のプラグ９の挿入時にこの信号端子１５にクロック信号が交流信号として瞬間的に印加される。しかし、クロック信号の電圧レベルが低く且つ交流であるので、プラグ９に接続された第２の信号源１１に対する悪影響はほとんど生じない。第２の半導体スイッチとしてのｎｐｎ型の第２のトランジスタ７２のベ−スは抵抗７７、７８を介して前段のトランジスタ７１のコレクタに接続されている。この第２のトランジスタ７２のエミッタはグランドに接続され、コレクタは抵抗５１を介して第３のトランジスタ５０のベ−スに接続されている。抵抗７９は第２のトランジスタ７２のベ−ス・エミッタ間に接続されている。コンデンサ８１は抵抗７７を介して第１のトランジスタ７１に並列に接続されている。
【００４１】
図４は図３の各部の状態を示し、（Ａ）はＡ点のクロック信号、（Ｂ）は第２のプラグ９の第２のジャック５ａヘの挿入、（Ｃ）はＣ点の電位、（Ｄ）はＤ点即ち第１のトランジスタ７１のコレクタ電位、（Ｅ）はＥ点即ち第２のトランジスタ７２のコレクタ電位、（Ｆ）はＦ点即ち抵抗５４の出力端の電位、（Ｇ）は第１及び第２のスイッチ素子、２４、４０のオン・オフ状態、（Ｈ）は第２のプラグ９の第２のオ−ディオ信号、（Ｉ）はＩ点即ち増幅回路６の第１の入力端子２７のオ−ディオ信号を示す。
【００４２】
図４から明らかなように、第２のプラグ９の挿入開始時点ｔｏよりも前においては、クロック発生器７０のクロック信号によって第１のトランジスタ７１がオン状態又はオンと見なせる状態にあり、このコレクタ電位は図４（Ｄ）に示すように低い値に保たれている。従って、ｔｏで第２のプラグ９の挿入を開始し、プラグ９の信号端子１５が挿入中に第２の接触導体２１に接触しても、高い直流電圧が第２のプラグ９に印加されない。第２のプラグ９の挿入が完了すると、第２の接触導体２１がグランドに接続され、同時にＣ点もグランドに接続される。これにより、クロック信号の第１のトランジスタ７１への供給が禁止され、第１のトランジスタ７１はオフに転換する。この結果、第２及び第３のトランジスタ７２、５０と第１及び第２のスイッチ素子２４ａ、４０がオン状態となり、図２の回路と同様に第２のオ−ディオ信号の増幅が行われる。
【００４３】
第３の実施形態は、第２の実施形態と同一の効果を有する他に、直流電圧の第２のプラグ９に対する印加を阻止又は抑制できるいう効果を有する。
【００４４】
【第４の実施形態】
図５に示す第４の実施形態に従うオーディオ信号処理回路は、変形された平衡型増幅回路６ａ、変形されたスイッチ制御回路４１ｂ、第１及び第２のゲイン（利得）切換用スイッチ９１，９２を設け、この他は第２の実施形態を示す図２と同一に構成したものである。
【００４５】
図５の平衡型増幅回路６ａは、図２の平衡型増幅回路６に第５，第６，第７及び第８の抵抗Ｒ５，Ｒ６，Ｒ７，Ｒ８を付加し、且つ増幅器３１の入力端子の極性を図２と逆にし、この他は図２と同一に形成したものである。第５及び第６の抵抗Ｒ５，Ｒ６の直列回路は増幅器３１の負入力端子と出力端子との間に接続されている。第７及び第８の抵抗Ｒ７，Ｒ８の直列回路は増幅器３１の正入力端子とグランドとの間に接続されている。なお、図５では増幅器３１の負入力端子が第１の入力回路２９に接続され、正入力端子が第２の入力回路３０に接続されている。
【００４６】
接合型ＦＥＴから成る第１のゲイン切換用スイッチ９１は第６の抵抗Ｒ６に並列に接続されている。ＮＰＮ型トランジスタから成る第２のゲイン切換用スイッチ９２は第８の抵抗Ｒ８に並列に接続されている。第１及び第２のゲイン切換用スイッチ９１，９２は、第２のプラグ９が非挿入の時にはオフ状態に保たれ、増幅回路６ａのゲイン（利得）は、第１のプラグ８に接続された第１の信号源１０に適合する値になる。第２のプラグ９が第２のジャック５ａに挿入されると、第１及び第２のゲイン切換用スイッチ９１，９２はオンになり、増幅回路６ａのゲインは、第２のプラグ９に接続された第２の信号源１１に適合した値になる。
【００４７】
図５のスイッチ制御回路４１ｂは、図２のスイッチ制御回路４１に、２つのダイオード９３，９４と１つの抵抗９５とを付加し、この他は図２と同一に形成したものである。ダイオード９３は、抵抗５４の出力側の端子９６と第１のゲイン切換用スイッチ９１の制御端子即ちゲートとの間に接続されている。抵抗５４の出力側端子９６が負電位の時には、ダイオード９３がオンになり、第１のゲート切換用スイッチ９１がオフに保たれる。  抵抗５４の出力側端子９６が正電位の時には、第１のゲート切換用スイッチ９１がオンになる。ダイオード９４と抵抗９５との直列回路は、抵抗５４の出力側端子９６と第２のゲイン切換用スイッチ９２の制御端子即ちベースとの間に接続されている。抵抗５４の出力側端子９６が正電位の時に第２のゲイン切換用スイッチ９２がオンになる。
【００４８】
図５のオーディオ信号処理回路１ｃでは、図１に示した第２のプラグ９の第２のジャック５ａへの挿入に応答してインピーダンス適合化用の第１及び第２のスイッチ２４ａ，４０がオンになると同時に第１及び第２のゲイン切換用スイッチ９１，９２もオンになり、第２の信号源１１に適合したインピーダンス及びゲイン状態が得られる。従って、図５の第４の実施形態は、図２の第２の実施形態と同一の効果を有する他に、ゲインの適合化を図ることができるという効果も有する。
【００４９】
【第５の実施形態】
図６の第５の実施形態のオーディオ信号処理回路１ｄは、図２及び図５の回路の一部を変形したものである。従って、図６において図２及び図５と実質的に同一の部分には同一の符号を付してその説明を省略する。
【００５０】
図６の平衡型増幅回路６ｂは、図２の平衡型増幅回路６に第５〜第８の抵抗Ｒ５〜Ｒ８を付加し、この他は図２と同一に形成したものである。図６の第５及び第６の抵抗Ｒ５，Ｒ６の直列回路は、増幅器３１の正入力端子とグランドとの間に接続されている。第７及び第８の抵抗Ｒ７，Ｒ８の直列回路は増幅器３１の負入力端子とグランドとの間に接続されている。
【００５１】
トランジスタから成る第１及び第２のゲイン切換用スイッチ９１ａ，９２は第６及び第８の抵抗Ｒ６，Ｒ８にそれぞれ並列に接続されている。第１及び第２のゲイン切換用スイッチ９１ａ，９２は第２のプラグ９の第２のジャック５ａへの挿入に応答してオンになる。
【００５２】
図６のスイッチ制御回路４１ｃは、図２のスイッチ制御回路４１に２つのダイオード９３，９４と２つの抵抗９５，９７を付加し、この他は図２と同一に形成したものである。ダイオード９３と抵抗９７との直列回路は抵抗５４の出力側端子９６と第１のゲイン切換用スイッチ９１ａの制御端子即ちベースとの間に接続されている。ダイオード９４と抵抗９５との直列回路は図５と同様に接続されている。
【００５３】
図６の第５の実施形態は第５の第４の実施形態と同様な効果を有する。即ち、第２の信号源１１に対して適合したインピーダンスとゲインとを有する増幅回路を容易に得ることができる。
【００５４】
【第６の実施形態】
図７の第６の実施形態のオーディオ信号処理回路１ｅは、図２の回路を変形したものであって、第１及びジャック４ａ，５ｂ、非平衡増幅回路６ｃ、スイッチ制御回路４１ｄ、ゲイン切換用スイッチ９１ｃ、及び反転増幅器１０１を有する。
【００５５】
第１のジャック４ａは図１に示す非平衡型信号入力用の第１のプラグ８ａを挿入するものである。従って、第２の接触導体１８に対して増幅回路６ｃが接続されていない。
【００５６】
第２のジャック５ｂは図１の第２のプラグ９を挿入するものであるが、図２の第２のジャック５ａの補助端子４２に相当するものを有さない。第１の接触導体２０は増幅回路６ｃの入力端子２７に接続されている。第２の接触導体２１は図２と同様にスイッチ制御回路４１ｄのトランジスタ５０のベースに抵抗５１を介して接続されている。
【００５７】
非平衡型増幅回路６ｃは、入力回路２９と反転増幅器３１ａと帰還用抵抗Ｒ１１，Ｒ１２とから成る。増幅器３１ａの負入力端子は入力回路２９を介して第１及び第２のジャック４ａ，５ｂの第１の接触導体１７，２０にそれぞれ接続されている。増幅器３１ａの正入力端子はグランドに接続されている。抵抗Ｒ１１，Ｒ１２の直列回路は増幅器３１ａの負入力端子と出力端子との間に接続されている。増幅器３１ａの出力端子は次段の反転増幅器１０１に接続されている。なお、反転増幅器１０１を省くこともできる。
【００５８】
ゲイン切換用スイッチ９１ｃはＦＥＴから成り、抵抗Ｒ１２に並列に接続されている。ゲイン切換用スイッチ９１ｃの制御端子（ゲート）はダイオード９３を介して抵抗５４の出力側端子９６に接続されている。このゲイン切換用スイッチ９１ｃは第２のジャック５ｂに第２のプラグ９が挿入され、抵抗５４の出力側端子９６が正になった時にオンになり、抵抗５４の出力側端子９６が負の時にはオフに保たれる。ゲイン切換用スイッチ９１ｃがオンになると、増幅回路６ｃのゲインが第２のプラグ９に接続された第２の信号源１１に適合した値になる。従って、ゲイン切換用スイッチ９１ｃを第２の信号源に対する適合化用スイッチと呼ぶこともできる。
【００５９】
図７のスイッチ制御回路４１ｄは図５のスイッチ制御回路４１ｂからダイオード５７，５８，９４と抵抗５５，９５を省いたものに相当する。図７のスイッチ制御回路４１ｄは、第２のジャック５６に第２のプラグ９が挿入されたことを示す信号を作成してゲイン切換用スイッチ９１ｃのゲートに供給するので、このスイッチ制御回路４１ｄをプラグ挿入検出回路と呼ぶこともできる。
【００６０】
図７のオーディオ信号処理回路１ｅによれば、互いに異なる出力インピーダンスを有して第１及び第２のジャック４ａ，５ｂに接続される第１及び第２の信号源のいずれに対しても、増幅回路６ｃを比較的簡単な構成で自動的に適合化させることができる。
【００６１】
【第７の実施形態】
図８の第７の実施形態のオーディオ信号処理回路１ｆは、図７の一部を変形したものであって、変形された増幅回路６ｄと変形されたスイッチ制御回路４１ｅと変形されたゲイン切換用スイッチ９２とを有する。
【００６２】
図８の増幅回路６ｄは、増幅器３１の負入力端子とグランドとの間に接続された抵抗Ｒ１３，Ｒ１４の直列回路、増幅器３１の出力端子と負入力端子との間に接続された抵抗Ｒ１５を有する。増幅器３１の正入力端子は入力回路２９を介して第１及び第２のジャック４ａ，５ｂの第１の接触導体１７，２０にそれぞれ接続されている。
【００６３】
トランジスタから成るゲイン切換用スイッチ９２は、抵抗Ｒ１４に並列に接続され、その制御端子（ベース）はスイッチ制御回路４１ｅの抵抗５４の出力側端子５６にダイオード９４と抵抗９５を介して接続されている。
【００６４】
図８のスイッチ制御回路４１ｅは図５のスイッチ制御回路４１ｂからダイオード５７，５８，９３と抵抗５５とを省いたものに相当する。
【００６５】
図８のゲイン切換スイッチ９２は、第２のジャック５ｂに対する第２のプラグ９の挿入に応答してオンになり、増幅回路６ｄのゲインが第２の信号源１１に適合した値になる。従って、第７の実施形態によっても第６の実施形態と同一の効果を得ることができる。
【００６６】
【第８の実施形態】
図９の第８の実施形態のオーディオ信号処理回路１ｇは、図８の増幅回路６ｄを変形した増幅回路６ｅを有する他は図８と同一に構成されている。図９では、抵抗Ｒ１１，Ｒ１２の直列回路が増幅器３１の正入力端子とグランドとの間に接続されている。また、増幅器３１の負入力端子はグランドに接続されている。図９の抵抗Ｒ１４に並列に接続されたゲイン切換用スイッチ９２のベースは図８と同様にスイッチ制御回路４１ｅに接続されている。図９に示す第８の実施形態によっても図８の実施形態と同一の効果を得ることができる。
【００６７】
【変形例】
本発明は上述の実施形態に限定されるものではない、例えば次の変形が可能なものである。
（１）  インピ−ダンス整合回路又はインピ−ダンス調整回路としての働きを有するバッファ増幅回路７はゲイン調整機能を有しているが、この代りにインピ−ダンス回路のみを設けることができる。
（２）  第１のジャック４に供給される信号が非平衡型オ−ディオ信号のみの場合には、増幅回路６を非平衡型に構成することができる。
（３）  第１、第２及び第３のトランジスタ７１、７２、５０をＦＥＴ等の半導体スイッチ又は制御端子にすることができる。
【図面の簡単な説明】
【図１】第１の実施形態のオ−ディオ装置を示す回路図である。
【図２】第２の実施形態のオ−ディオ信号処理回路を示す回路図である。
【図３】第３の実施形態のオ−ディオ信号処理回路を示す回路図である。
【図４】第３の各部の状態を示す図である。
【図５】第４の実施形態のオ−ディオ信号処理回路を示す回路図である。
【図６】第５の実施形態のオ−ディオ信号処理回路を示す回路図である。
【図７】第６の実施形態のオ−ディオ信号処理回路を示す回路図である。
【図８】第７の実施形態のオ−ディオ信号処理回路を示す回路図である。
【図９】第８の実施形態のオ−ディオ信号処理回路を示す回路図である。
【符号の説明】
１  オ−ディオ信号処理回路
２  ＡＤＣ
３  記録機
４，５  第１及び第２のジャック
６  増幅回路
７  バッファ増幅回路
８，９  第１及び第２のプラグ
１０，１１  第１及び第２信号源
２４  補助スイッチ
２４ａ，４０  第１及び第２のスイッチ素子
４１，４１ａ  スイッチ制御回路
【図１】
2004282513.tif 000003
【図２】
2004282513.tif 000004
【図３】
2004282513.tif 000005
【図４】
2004282513.tif 000006
【図５】
2004282513.tif 000007
【図６】
2004282513.tif 000008
【図７】
2004282513.tif 000009
【図８】
2004282513.tif 000010
【図９】
2004282513.tif 000011